【事件の表示】
　特願２０１３−　１４１６７「遊技機」拒絶査定不服審判事件〔平成２６年　８月１４日出願公開、特開２０１４−１４４１２４〕について、次のとおり審決する。
【結　論】
　本件審判の請求は、成り立たない。
【理　由】
第１　手続の経緯
　本願は，平成２５年１月２９日の出願であって，平成２６年３月２０日付け（発送日：平成２６年３月２６日）で拒絶理由通知がなされ，これに対し平成２６年５月２１日付けで手続補正がなされ，平成２７年２月２０日付け（発送日：平成２７年２月２４日）で拒絶査定がなされ，これに対して，平成２７年５月１５日に拒絶査定不服審判の請求がなされるとともに手続補正（以下，「本件補正」という。）がなされたものである。
第２　本件補正についての補正却下の決定
[補正却下の決定の結論］
　本件補正を却下する。
１．本件補正の概要
　本件補正は特許請求の範囲の請求項１の記載の補正であり，平成２６年５月２１日付けの手続補正と本件補正の特許請求の範囲の請求項１の記載はそれぞれ，以下のとおりである（下線部は，補正箇所を示す。）。
（補正前：平成２６年５月２１日付け手続補正）
「【請求項１】
　所定の始動条件の成立を条件として，取得情報を取得する取得手段と，
　前記取得情報に基づいて，特別遊技を行うか否かの特別遊技判定を行う判定手段と，
　前記取得情報に基づいて演出の内容を決定し，決定した演出の実行を制御する演出制御手段と，
　演出画像を表示する少なくとも１つの可動画面と，
　前記可動画面の動作を制御する可動画面動作制御手段とを備え，
　前記演出制御手段は，
　　前記取得情報に基づいて，演出図柄表示手段において演出図柄を変動表示させてから停止表示させることにより，前記特別遊技判定の結果を報知する演出図柄制御手段と，
　　前記特別遊技判定における一回の判定結果を報知する演出の途中となる所定のタイミングから，第１の特定演出または当該第１の特定演出とは異なる第２の特定演出を実行する特定演出制御手段とを含み，
　前記可動画面動作制御手段は，
　　前記特定演出制御手段が前記第１の特定演出を行う場合に前記所定のタイミングまたは前記所定のタイミングが到来する前記判定結果を報知する演出を開始してから当該所定のタイミングの前までの期間において第１の動作態様で前記可動画面を制御し，
　　前記特定演出制御手段が前記第２の特定演出を行う場合に前記所定のタイミングまたは前記所定のタイミングが到来する前記判定結果を報知する演出を開始してから当該所定のタイミングの前までの期間において前記第１の動作態様とは異なる第２の動作態様で前記可動画面を制御する，遊技機。」
（補正後：本件補正である平成２７年５月１５日付け手続補正）
「【請求項１】
　所定の始動条件の成立を条件として，取得情報を取得する取得手段と，
　前記取得情報に基づいて，特別遊技を行うか否かの特別遊技判定を行う判定手段と，
　前記取得情報に基づいて演出の内容を決定し，決定した演出の実行を制御する演出制御手段と，
　演出画像を表示する少なくとも１つの可動画面と，
　前記可動画面の動作を制御する可動画面動作制御手段とを備え，
　前記演出制御手段は，
　　前記取得情報に基づいて，演出図柄表示手段において演出図柄を変動表示させてから停止表示させることにより，前記特別遊技判定の結果を報知する演出図柄制御手段と，
　　前記特別遊技判定における一回の判定結果を報知する演出の途中となる所定のタイミングから，第１の特定演出または当該第１の特定演出とは異なる第２の特定演出を実行する特定演出制御手段とを含み，
　前記可動画面動作制御手段は，
　　前記特定演出制御手段が前記第１の特定演出を行う場合に
前記所定のタイミングの前までの期間において前記可動画面を動作させた後に
以降
　　前記特定演出制御手段が前記第２の特定演出を行う場合に
前記所定のタイミングの前までの期間において前記第１の特定演出を行う場合と同じ動作で前記可動画面を動作させた後に
以降
２．補正の適否
（１）補正事項
　本件補正は，補正前の請求項１に記載の
「前記可動画面動作制御手段は，
前記特定演出制御手段が前記第１の特定演出を行う場合に前記所定のタイミングまたは前記所定のタイミングが到来する前記判定結果を報知する演出を開始してから当該所定のタイミングの前までの期間において第１の動作態様で前記可動画面を制御し，
　　前記特定演出制御手段が前記第２の特定演出を行う場合に前記所定のタイミングまたは前記所定のタイミングが到来する前記判定結果を報知する演出を開始してから当該所定のタイミングの前までの期間において前記第１の動作態様とは異なる第２の動作態様で前記可動画面を制御する」を，
「前記可動画面動作制御手段は，
前記特定演出制御手段が前記第１の特定演出を行う場合に
前記所定のタイミングの前までの期間において前記可動画面を動作させた後に
以降
　　前記特定演出制御手段が前記第２の特定演出を行う場合に
前記所定のタイミングの前までの期間において前記第１の特定演出を行う場合と同じ動作で前記可動画面を動作させた後に
以降
（２）補正の目的
　まず，「前記第１の特定演出を行う場合に」という記載の後に，
前記所定のタイミングの前までの期間において前記可動画面を動作させ
前記所定のタイミングの前までの期間において前記第１の特定演出を行う場合と同じ動作で前記可動画面を動作させ
　補正１は，本件補正前の請求項１の「可動画面動作制御手段」が行う「可動画面の動作」について，「第１の特定演出を行う場合」と「第２の特定演出を行う場合」に共通して，「
所定のタイミングの前までの期間において
同じ動作で前記可動画面を動作させ
　次に，「第１の動作態様で前記可動画面を制御」する期間及び「第２の動作態様で前記可動画面を制御」する期間を，本件補正前の「前記所定のタイミングまたは前記所定のタイミングが到来する前記判定結果を報知する演出を開始してから当該所定のタイミングの前までの期間」から，本件補正後の「所定のタイミング
以降
　補正２は，本件補正前の「前記所定のタイミングまたは前記所定のタイミングが到来する前記判定結果を報知する演出を開始してから当該所定のタイミングの前までの期間」，すなわち，「所定のタイミングまでの期間」から，本件補正後の，所定のタイミングよりも前までの期間を削除し，今まで含まれなかった所定のタイミングよりも後の期間を含む「所定のタイミング
以降
　また，上記補正２が，請求項の削除，誤記の訂正，明りょうでない記載の釈明のいずれにも該当しないことは明らかである。
　以上のことから，上記補正２は，特許法第１７条の２第５項の各号に掲げる事項を目的とするものではない。
（３）小括
　したがって，本件補正は，特許法第１７条の２第５項の規定に違反するので，同法第１５９条第１項において読み替えて準用する同法第５３条第１項の規定により却下すべきものである。
３．独立特許要件
　本件補正について，上記２．補正の適否のとおりであるが，仮に，本件補正が限定的減縮を目的とするものとして，本件補正後の請求項１に記載された発明が特許出願の際独立して特許を受けることができるものであるか（特許法第１７条の２第６項において準用する同法第１２６条第７項の規定に適合するか）について，以下に検討する。
（１）本件補正後の請求項１に係る発明
　補正後の請求項１に係る発明（以下，「本願補正発明」という。）は，上記１．本件補正の概要において示したとおりのものである。
（２）先願に記載された発明
　本願の出願日前に出願された特願２０１２−１４１９８２号（特開２０１４−４１４４号公報参照）の願書に最初に添付した明細書，特許請求の範囲又は図面（以下，「先願明細書等」という。）には，次の事項が記載されている（下線は当審で付した。）。
（ア）「【０００１】
　本発明は，遊技の進行に伴うメイン演出を表示可能なメイン表示装置と，前記メイン演出の補助演出を表示可能なサブ表示装置とを備えた
遊技機
（イ）「【００３０】
　さらに，包囲枠体４０に設けられた凹部には，
メイン演出の補助演出を表示可能なサブ表示装置８０１
サブ表示装置８０１は
移動可能であるとともに，表裏を反転するように回転することが可能
（ウ）「【００５１】
　第１特図１始動入賞口３６，第２特図１始動入賞口６４１への入賞球は，それぞれ内部に設けられた始動口１スイッチ３６ａ，始動口３スイッチ６４４によって検出され，普通変動入賞装置３７への入賞球は内部に設けられた始動口２スイッチ３７ａによって検出される。第１特図１始動入賞口３６及び第２特図１始動入賞口６４１へ入賞した遊技球は第１特図変動表示ゲームの始動入賞球として検出され，第１始動記憶として所定の上限数（例えば，４個）を限度に記憶されるとともに，普通変動入賞装置３７へ入賞した遊技球は第２特図変動表示ゲームの始動入賞球として検出され，第２始動記憶として所定の上限数（例えば，４個）を限度に記憶される。また，この
始動入賞球の検出時に
大当り乱数値
並びに各変動パターン乱数値が抽出され
遊技制御装置１００
に特図始動記憶として
記憶される
【００５２】
　
遊技制御装置１００は
特図変動表示ゲームを行う
各特図変動表示ゲームに対応して
メイン表示装置
４１にて
識別情報
を変動表示させる飾り特図変動表示ゲームが実行され
特別結果態様
となった場合に
特別遊技状態
となる
メイン表示装置４１の結果態様も特別結果態様となる
（エ）「【０１３２】
　また，ＲＯＭ１１１Ｂは，例えば，
特図変動表示ゲームの
演出内容
を規定する変動パターン（変動態様）
（オ）「【０１５８】
　また，演出制御装置３００には，遊技盤３０（包囲枠体４０を含む）に設けられているＬＥＤを有する盤装飾装置４６を駆動制御する盤装飾ＬＥＤ制御回路３３２が設けられている。また，前面枠１２に設けられているＬＥＤ（発光ダイオード）を有する枠装飾装置１８を駆動制御する枠装飾ＬＥＤ制御回路３３３，遊技盤３０（包囲枠体４０を含む）に設けられている盤演出装置４４（演出回転体７５３を駆動する駆動モータ７５６，球貯留ユニット７４０の貯留制御ソレノイド７４５ａ，サブ表示ユニット８００における回転機構の駆動モータ８１４やスライド機構８２０の駆動モータ８２４等）を駆動制御する盤演出モータ／ＳＯＬ制御回路３３４，前面枠１２に設けられている枠演出装置４５（例えば前記ムービングライト１６を動作させるモータ等）を駆動制御する枠演出モータ制御回路３３５が設けられている。なお，ランプやモータ及びソレノイドなどを駆動制御するこれらの制御回路３３２〜３３５は，アドレス／データバス３４０を介して主制御用マイコン（１ｓｔＣＰＵ）３１１と接続されている。すなわち，
演出制御装置３００が
サブ表示装置８０１の動作を制御する動作制御手段をなす
（カ）「【０１６３】
　また，始動入賞口３６に備えられた始動口１スイッチ３６ａ又は第２特図１始動入賞口６４１内の
始動口３スイッチ６４４からの遊技球の検出信号の入力に基づき
大当り判定用乱数値を抽出して
判定値と比較し，
特図変動表示ゲームの当りはずれを判定する
【０１６４】
　そして，遊技制御装置１００のＣＰＵ１１１Ａは，上記の第１特図変動表示ゲームや第２特図変動表示ゲームの判定結果を含む制御信号（演出制御コマンド）を，演出制御装置３００に出力する。そして，特図１表示器５１や特図２表示器５２に，識別情報を所定時間変動表示した後，停止表示する特図変動表示ゲームを表示する処理を行う。また，
演出制御装置３００では
メイン表示装置４１で特図変動表示ゲームに対応した飾り特図変動表示ゲームを表示する処理を行う
（キ）「【０２１６】
　ここで，秘匿性を高める必要がある(結果に影響を及ぼす)大当り乱数及び大当り図柄乱数については，判定後の結果情報を図柄情報コマンドとして演出制御装置３００に送信している。これに対して秘匿性を高める必要のない（結果に影響を及ぼさない）
変動パターン乱数については
演出制御装置３００に送信する
変動パターン乱数２は
演出の振分を行うための乱数
（ク）「【０２６２】
　また，
変動パターンコマンドを受信した場合には，飾り特図変動表示ゲームの実行に関する処理等を行う変動中処理（ステップＢ４１）を行う
【０２６３】
　また，図柄停止コマンドを受信した場合には，
飾り特図変動表示ゲームにおける識別情報の変動表示を停止して結果態様を表示する
（ケ）「【０３２６】
　次に，演出モードの選択と変動演出パターンの選択及びリーチ中の演出の切り替えについて説明する。図４９には，第１演出モード（第１遊技モード）に対応する変動演出パターンと第２演出モード（第２遊技モード）に対応する変動演出パターンを示した。
演出制御装置３００では
変動演出パターンを選択して実行
演出制御装置３００が
変動パターンに対応する
演出表示を実行する
（コ）「【０３５５】
　
図５５（ａ）に示すように
待機領域８３０にあるサブ表示装置８０１
演出を実行
【０３５６】
　さらにこれに引き続き
図５５（ｂ）に示すように
表示部８０２を後方に向けた状態でサブ表示装置８０１を
右変動表示領域４２ｃ
の前方を覆うように移動させ
右変動表示領域４２ｃ
おける変動表示の停止タイミングで表示部８０２を前方に向けるように回転させる
（サ）「【０３５８】
　
図５５（ｃ）に示す
リーチ状態とならずにはずれとなる場合
前方に向いた表示部８０２には
識別情報が
表示され
【０３５９】
　
この後
図５５（ｄ）に示すように
サブ表示装置８０１が待機領域８３０に戻り
（シ）「【０３６０】
　
図５５（ｅ）に示す
擬似連変動である場合
中変動表示領域４２ｂの変動表示をリーチ状態とならない識別情報で停止した後にサブ表示装置８０１の表示部８０２を前方へ向け
【０３６１】
　
その後
図５５（ｆ）に示すように再変動表示
が行われ
サブ表示装置８０１を右変動表示領域４２ｃの前方に位置する状態としたまま
（ス）上記（ウ）に記載の始動入賞球の検出時に大当り乱数値および変動パターン乱数値を抽出し遊技制御装置１００内に記憶されることと，上記（カ）に記載の始動口３スイッチ６４４からの遊技球の検出信号の入力に基づき大当り判定用乱数値を抽出することとから，
始動口３スイッチ６４４からの遊技球の検出信号の入力に基づき，大当り判定用乱数値と変動パターン乱数値が抽出される遊技制御装置１００
（セ）上記（ウ）の記載の遊技制御装置１００は特図変動表示ゲームを行い，特別結果態様となった場合に，特別遊技状態となることと，上記（カ）の記載の大当り判定用乱数値を抽出して判定値と比較し，特図変動表示ゲームの当りはずれを判定することとから，
大当り判定用乱数値を判定値と比較し，特別遊技状態となるか否かを判定する遊技制御装置１００
（ソ）上記（キ）に記載の演出の振分を行うための変動パターン乱数を演出制御装置３００に送信することと，上記（ケ）に記載の演出制御装置３００が，変動パターンに対応する変動演出パターンを選択して演出表示を実行することとから，
変動パターン乱数値に対応する変動演出パターンを選択し，選択された演出表示を実行する演出制御装置３００
（タ）上記（イ）の記載から，
サブ表示装置８０１は，補助演出を表示し，移動及び回転可能
（チ）上記（オ）の記載から，演出制御装置３００は
サブ表示装置８０１の動作を制御する動作制御手段
（ツ）上記（ウ）に記載の特図変動表示ゲームに対応して，メイン表示装置４１にて識別情報を変動表示させる飾り特図変動表示ゲームが実行され，特別結果態様となって特別遊技状態となること，上記（カ）に記載のる大当り判定用乱数値を抽出して判定値と比較し，特図変動表示ゲームの当りはずれを判定すること，及び，演出制御装置３００では，メイン表示装置４１で特図変動表示ゲームに対応した飾り特図変動表示ゲームを表示する処理を行うことと，上記（ク）に記載の飾り特図変動表示ゲームにおける識別情報の変動表示を停止して結果態様を表示することとから，
演出制御装置３００は，大当り判定用乱数値に基づき，メイン表示装置４１において識別情報を変動表示させてから，変動表示を停止させることにより，特別結果態様を表示させる
（テ）図５５（ａ）から（ｂ）を説明した上記（コ）の記載から，サブ表示装置８０１は，待機領域８３０にあるサブ表示装置８０１の表示部８０２を後方に向けた状態で，右変動表示領域４２ｃの前方を覆うように移動し，右変動表示領域４２ｃにおける変動表示の停止タイミングで表示部８０２を前方に向けるように回転する演出が行われている。
　また，図５５（ａ）から（ｂ）の後に行われる図５５（ｃ）から（ｄ）を説明した上記（サ）の記載から，リーチ状態とならずにはずれとなる場合は，サブ表示装置８０１は，前方に向いた表示部８０２に識別情報が表示され，この後，サブ表示装置８０１が待機領域８３０に戻る演出が行われている。
　さらに，図５５（ａ）から（ｂ）の後に行われる図５５（ｅ）から（ｆ）を説明した上記（シ）の記載から，擬似連変動である場合は，サブ表示装置８０１は，中変動表示領域４２ｂの変動表示をリーチ状態とならない識別情報で停止した後にサブ表示装置８０１の表示部８０２を前方へ向け，その後，再変動表示においてもサブ表示装置８０１を右変動表示領域４２ｃの前方に位置する状態としたままとする演出が行われている。
　以上のことと，上記（ソ）及び（チ）の認定事項から，
演出制御装置３００は，待機領域８３０にあるサブ表示装置８０１の表示部８０２を後方に向けた状態で，右変動表示領域４２ｃの前方を覆うように移動させた後，リーチ状態とならずにはずれとなる場合と擬似連変動である場合とで異なる演出を実行する
（ト）上記（チ）及び（テ）の認定事項から，
動作制御手段は，リーチ状態とならずにはずれとなる場合は，待機領域８３０にあるサブ表示装置８０１の表示部８０２を後方に向けた状態で，右変動表示領域４２ｃの前方を覆うように移動させた後，右変動表示領域４２ｃにおける変動表示の停止タイミングで表示部８０２を前方に向けるように回転させ，サブ表示装置８０１を待機領域８３０に戻す
（ナ）上記（チ）及び（テ）の認定事項から，
動作制御手段は，擬似連変動である場合は，待機領域８３０にあるサブ表示装置８０１の表示部８０２を後方に向けた状態で，右変動表示領域４２ｃの前方を覆うように移動させた後，中変動表示領域４２ｂの変動表示をリーチ状態とならない識別情報で停止した後にサブ表示装置８０１の表示部８０２を前方へ向け，その後，再変動表示においてもサブ表示装置８０１を右変動表示領域４２ｃの前方に位置する状態としたままにする
　したがって，上記（ア）から（シ）の記載事項及び上記（ス）から（ナ）の認定事項を総合すると，先願明細書等には次の発明（以下，「先願発明」という。）が記載されている。
「始動口３スイッチ６４４からの遊技球の検出信号の入力に基づき，大当り判定用乱数値と変動パターン乱数値が抽出される遊技制御装置１００と，
前記大当り判定用乱数値を判定値と比較し，特別遊技状態となるか否かを判定する前記遊技制御装置１００と，
　前記変動パターン乱数値に対応する変動演出パターンを選択し，選択された演出表示を実行する演出制御装置３００と，
　補助演出を表示し，移動及び回転可能なサブ表示装置８０１と，
　前記サブ表示装置８０１の動作を制御する動作制御手段とを有し，
　前記演出制御装置３００は，
　　前記大当り判定用乱数値に基づき，メイン表示装置４１において識別情報を変動表示させてから，変動表示を停止させることにより，特別結果態様を表示し，
　　待機領域８３０にある前記サブ表示装置８０１の表示部８０２を後方に向けた状態で，右変動表示領域４２ｃの前方を覆うように移動させた後，リーチ状態とならずにはずれとなる場合と擬似連変動である場合とで異なる演出を実行し，
　前記動作制御手段は，
　　リーチ状態とならずにはずれとなる場合は，待機領域８３０にあるサブ表示装置８０１の表示部８０２を後方に向けた状態で，右変動表示領域４２ｃの前方を覆うように移動させた後，右変動表示領域４２ｃにおける変動表示の停止タイミングで表示部８０２を前方に向けるように回転させ，サブ表示装置８０１を待機領域８３０に戻し，
　　擬似連変動である場合は，待機領域８３０にあるサブ表示装置８０１の表示部８０２を後方に向けた状態で，右変動表示領域４２ｃの前方を覆うように移動させた後，中変動表示領域４２ｂの変動表示をリーチ状態とならない識別情報で停止した後にサブ表示装置８０１の表示部８０２を前方へ向け，その後，再変動表示においてもサブ表示装置８０１を右変動表示領域４２ｃの前方に位置する状態としたままにする，遊技機。」
（３）対比
　審判請求人は，審判請求書において，本願補正発明を（ａ）から（ｉ）の構成に分説しているので，それに対応させて，本願補正発明と先願発明とを対比する。
（ａ）先願発明の「始動口３スイッチ６４４からの遊技球の検出信号の入力」及び「大当り判定用乱数値と変動パターン乱数値」は，それぞれ，本願補正発明の「所定の始動条件の成立」及び「取得情報」に相当する。
　このことから，先願発明の「始動口３スイッチ６４４からの遊技球の検出信号の入力に基づき，大当り判定用乱数値と変動パターン乱数値が抽出される遊技制御装置１００」は，本願補正発明の「所定の始動条件の成立を条件として，取得情報を取得する取得手段」に相当する。
（ｂ）先願発明の「特別遊技状態」は，本願補正発明の「特別遊技を行う」状態に相当する。
　このことから，先願発明の「前記大当り判定用乱数値を判定値と比較し，特別遊技状態となるか否かを判定する遊技制御装置１００」は，本願補正発明の「前記取得情報に基づいて，特別遊技を行うか否かの特別遊技判定を行う判定手段」に相当する。
（ｃ）先願発明の「変動演出パターンを選択」は，本願補正発明の「演出の内容を決定」に相当する。
　このことから，先願発明の「前記変動パターン乱数値に対応する変動演出パターンを選択し，選択された演出表示を実行する演出制御装置３００」は，本願補正発明の「前記取得情報に基づいて演出の内容を決定し，決定した演出の実行を制御する演出制御手段」に対応する。
（ｄ）先願発明の「補助演出を表示する移動及び回転可能なサブ表示装置８０１」は，本願補正発明の「演出画像を表示する少なくとも１つの可動画面」に相当する。
（ｅ）先願発明の「サブ表示装置８０１の動作を制御する動作制御手段」は，本願補正発明の「前記可動画面の動作を制御する可動画面動作制御手段」に相当する。
（ｆ）先願発明の「メイン表示装置４１」及び「識別情報」は，それぞれ，本願補正発明の「演出図柄表示手段」及び「演出図柄」に相当する。
　このことから，先願発明の「前記大当り判定用乱数値に基づき，メイン表示装置４１において識別情報を変動表示させてから，変動表示を停止させることにより，特別結果態様を表示」する構成は，本願補正発明の「前記取得情報に基づいて，演出図柄表示手段において演出図柄を変動表示させてから停止表示させることにより，前記特別遊技判定の結果を報知する演出図柄制御手段」に相当する。
（ｇ）先願発明の「待機領域８３０にある前記サブ表示装置８０１の表示部８０２を後方に向けた状態で，右変動表示領域４２ｃの前方を覆うように移動させた後」は，一回の判定結果を報知する演出の途中であることは明らかであるから，本願補正発明の「前記特別遊技判定における一回の判定結果を報知する演出の途中となる所定のタイミングから」に相当する。
　また，先願発明の「リーチ状態とならずにはずれとなる場合」の演出と「擬似連変動である場合」の演出とはお互いに異なる演出であることから，先願発明の「リーチ状態とならずにはずれとなる場合」の演出及び「擬似連変動である場合」の演出は，それぞれ，本願補正発明の「第１の特定演出」及び「第２の特定演出」に相当する。
　以上のことから，先願発明の「待機領域８３０にある前記サブ表示装置８０１の表示部８０２を後方に向けた状態で，右変動表示領域４２ｃの前方を覆うように移動させた後，リーチ状態とならずにはずれとなる場合と擬似連変動である場合とで異なる演出を実行」する構成は，本願補正発明の「前記特別遊技判定における一回の判定結果を報知する演出の途中となる所定のタイミングから，第１の特定演出または当該第１の特定演出とは異なる第２の特定演出を実行する特定演出制御手段」に，相当する。
（ｈ）先願発明の「待機領域８３０にあるサブ表示装置８０１の表示部８０２を後方に向けた状態で，右変動表示領域４２ｃの前方を覆うように移動させた後」は，本願補正発明の「前記所定のタイミングの前までの期間において前記可動画面を動作させた後」に相当する。
　また，先願発明の「右変動表示領域４２ｃにおける変動表示の停止タイミングで表示部８０２を前方に向けるように回転させ，サブ表示装置８０１を待機領域８３０に戻」す動作は，本願補正発明の「前記所定のタイミング以降において第１の動作態様で前記可動画面を制御」することに相当する。
　以上のことと上記（ｇ）において既に検討したことから，先願発明の「リーチ状態とならずにはずれとなる場合は，待機領域８３０にあるサブ表示装置８０１の表示部８０２を後方に向けた状態で，右変動表示領域４２ｃの前方を覆うように移動させた後，右変動表示領域４２ｃにおける変動表示の停止タイミングで表示部８０２を前方に向けるように回転させ，サブ表示装置８０１を待機領域８３０に戻」すことは，本願補正発明の「前記特定演出制御手段が前記第１の特定演出を行う場合に前記所定のタイミングの前までの期間において前記可動画面を動作させた後に前記所定のタイミング以降において第１の動作態様で前記可動画面を制御」することに相当する。
（ｉ）先願発明の「中変動表示領域４２ｂの変動表示をリーチ状態とならない識別情報で停止した後にサブ表示装置８０１の表示部８０２を前方へ向け，その後，再変動表示においてもサブ表示装置８０１を右変動表示領域４２ｃの前方に位置する状態としたままにする」動作は，本願補正発明の「前記所定のタイミング以降において前記第１の動作態様とは異なる第２の動作態様で前記可動画面を制御」することに相当する。
　以上のことと上記（ｇ）及び（ｈ）において既に検討したことから，先願発明の「擬似連変動である場合は，待機領域８３０にあるサブ表示装置８０１の表示部８０２を後方に向けた状態で，右変動表示領域４２ｃの前方を覆うように移動させた後，中変動表示領域４２ｂの変動表示をリーチ状態とならない識別情報で停止した後にサブ表示装置８０１の表示部８０２を前方へ向け，その後，再変動表示においてもサブ表示装置８０１を右変動表示領域４２ｃの前方に位置する状態としたままにする」ことは，本願補正発明の「前記特定演出制御手段が前記第２の特定演出を行う場合に前記所定のタイミングの前までの期間において前記第１の特定演出を行う場合と同じ動作で前記可動画面を動作させた後に前記所定のタイミング以降において前記第１の動作態様とは異なる第２の動作態様で前記可動画面を制御」することに相当する。
　上記（ａ）から（ｉ）により，本願補正発明と先願発明とは，
「所定の始動条件の成立を条件として，取得情報を取得する取得手段と，
　前記取得情報に基づいて，特別遊技を行うか否かの特別遊技判定を行う判定手段と，
　前記取得情報に基づいて演出の内容を決定し，決定した演出の実行を制御する演出制御手段と，
　演出画像を表示する少なくとも１つの可動画面と，
　前記可動画面の動作を制御する可動画面動作制御手段とを備え，
　前記演出制御手段は，
　　前記取得情報に基づいて，演出図柄表示手段において演出図柄を変動表示させてから停止表示させることにより，前記特別遊技判定の結果を報知する演出図柄制御手段と，
　　前記特別遊技判定における一回の判定結果を報知する演出の途中となる所定のタイミングから，第１の特定演出または当該第１の特定演出とは異なる第２の特定演出を実行する特定演出制御手段とを含み，
　前記可動画面動作制御手段は，
　　前記特定演出制御手段が前記第１の特定演出を行う場合に前記所定のタイミングの前までの期間において前記可動画面を動作させた後に前記所定のタイミング以降において第１の動作態様で前記可動画面を制御し，
　　前記特定演出制御手段が前記第２の特定演出を行う場合に前記所定のタイミングの前までの期間において前記第１の特定演出を行う場合と同じ動作で前記可動画面を動作させた後に前記所定のタイミング以降において前記第１の動作態様とは異なる第２の動作態様で前記可動画面を制御する，遊技機。」
　である点で一致し，相違点はない。
（４）まとめ
　したがって，本願補正発明は先願発明と同一であり，しかも，本願補正発明の発明者が先願発明の発明者と同一であるとも，また，本願の出願時に，その出願人が先願発明の出願人と同一であるとも認められないので，特許法第２９条の２の規定に基づいて特許出願の際独立して特許を受けることができない。
４．むすび
　よって，本件補正は，特許法第１７条の２第５項及び第６項において準用する同法第１２６条第７項の規定に違反するので，同法第１５９条第１項において読み替えて準用する同法第５３条第１項の規定により却下すべきものである。
第３　本願発明
　本件補正は上記のとおり却下されたので，本願の請求項１に係る発明（以下「本願発明」という。）は，平成２６年５月２１日付け手続補正書により補正された特許請求の範囲に記載された事項により特定され，以下のとおりである。 
「【請求項１】
　所定の始動条件の成立を条件として，取得情報を取得する取得手段と，
　前記取得情報に基づいて，特別遊技を行うか否かの特別遊技判定を行う判定手段と，
　前記取得情報に基づいて演出の内容を決定し，決定した演出の実行を制御する演出制御手段と，
　演出画像を表示する少なくとも１つの可動画面と，
　前記可動画面の動作を制御する可動画面動作制御手段とを備え，
　前記演出制御手段は，
　　前記取得情報に基づいて，演出図柄表示手段において演出図柄を変動表示させてから停止表示させることにより，前記特別遊技判定の結果を報知する演出図柄制御手段と，
　　前記特別遊技判定における一回の判定結果を報知する演出の途中となる所定のタイミングから，第１の特定演出または当該第１の特定演出とは異なる第２の特定演出を実行する特定演出制御手段とを含み，
　前記可動画面動作制御手段は，
　　前記特定演出制御手段が前記第１の特定演出を行う場合に前記所定のタイミングまたは前記所定のタイミングが到来する前記判定結果を報知する演出を開始してから当該所定のタイミングの前までの期間において第１の動作態様で前記可動画面を制御し，
　　前記特定演出制御手段が前記第２の特定演出を行う場合に前記所定のタイミングまたは前記所定のタイミングが到来する前記判定結果を報知する演出を開始してから当該所定のタイミングの前までの期間において前記第１の動作態様とは異なる第２の動作態様で前記可動画面を制御する，遊技機。」
１．刊行物
　原査定の拒絶の理由に引用された本願の出願前に頒布された特開２００６−８１６２３号公報（以下，「刊行物」という。）には，図面とともに次の事項が記載されている（下線は当審で付した。）。
（ア）「【００１５】
　ここで，パチンコ機は，図３に示す如く，パチンコ機全体の総括的な制御を行なう主制御手段３８と，この主制御手段３８により制御され，遊技に関連して設けられる各種サブ制御手段を統括して制御する統括制御手段４０とを備える。またサブ制御手段としては，
図柄表示装置２２における表示や回転等の制御を行なう図柄制御手段２６
統括制御手段４０で，図柄制御手段２６と，音声制御手段４４およびランプ制御手段４６を統括して制御する
図柄制御手段２６で制御される図柄表示装置２２での図柄組合わせゲーム
【００１６】
　前記始動入賞具１６の上方の遊技面１０ａに，遊技盤１０を装飾する装飾部材２０が配設されており，該装飾部材２０に開設した可視表示部２０ａに，遊技盤１０の裏側に配設される図柄表示装置２２の図柄表示部２４が臨んでいる。この
図柄表示装置２２は，前記始動入賞具１６へのパチンコ球の通入に応じて図柄表示部２４に表示される図柄を変動および停止表示することで，
図柄変動演出
を行なう
（イ）「【００２０】
　前記各役物３２ａ,３２ｂ,３２ｃ,３２ｄは，前記図柄表示部２４で行なわれる
各種の演出内容
前記図柄表示部２４で行なわれる演出内容の異なるＡ(虎リーチ),Ｂ(龍リーチ),Ｃ(鳳凰リーチ)およびＤ(姫リーチ)の各リーチ演出
前記図柄制御手段２６では，図柄表示部２４が回転停止したときに前記指示辺２４ｄで指し示した役物３２ａ,３２ｂ,３２ｃ,３２ｄが暗示するリーチ演出を，該図柄表示部２４で行なわせる
【００２１】
　また，前
記Ａ,Ｂ,ＣおよびＤの各リーチ演出に対応するリーチ後に大当りが発生する確率は異なる
（ウ）「【００２３】
　〔実施例の作用〕
　次に，前述した実施例に係る
遊技機
【００２４】
　前記遊技盤１０に打ち出された
パチンコ球が前記始動入賞具１６に入賞し，これを前記スイッチが検出すると
前記主制御手段３８から統括制御手段４０を経て図柄制御手段２６に送られた制御コマンドに基づいて
該図柄制御手段２６により駆動手段２８が駆動され，前記図柄表示装置２２の図柄表示部２４が回転を開始する
前記主制御手段３８では
パチンコ球がスイッチ検出されたタイミングで取得した乱数値に基づき，当り，外れ，リーチ演出の種類等が決定され
対応する制御コマンドが統括制御手段４０に送られる
【００２５】
　そして，前記角度検出手段３０が，前記主制御手段３８で決定されたリーチ演出に対応する役物３２ａ,３２ｂ,３２ｃ,３２ｄを指し示す位置となったことを検出すると，前記統括制御手段４０から図柄制御手段２６に停止制御コマンドが送られ，該図柄制御手段２６により駆動手段２８が停止制御され，前記図柄表示部２４が回転停止する。これにより，図柄表示部２４の前記指示辺２４ｄが，対応する役物３２ａ,３２ｂ,３２ｃ,３２ｄを指し示す。すなわち，例えば前記主制御手段３８で
Ｄリーチ演出を行なうことが決定された場合は，
図柄表示部２４の指示辺２４ｄが最下部の役物３２ｄを指し示し，その回転停止のタイミングで，該図柄表示部２４ではＤリーチ演出が行なわれ
指示辺２４ｄが役物３２ｃ,３２ｂ,３２ａの何れかを指し示した場合には，対応するＣ〜Ａの何れかのリーチ演出が図柄表示部２４で行なわれる
（エ）上記（ウ）の記載から，
パチンコ球の始動入賞具１６の入賞をスイッチが検出すると，乱数値を取得し，前記乱数値に基づいて大当り及びリーチ演出の種類を決定する主制御手段３８
（オ）上記（イ）の記載の前記図柄制御手段２６では，リーチ演出を行なわせることと，上記（ウ）の記載の主制御手段３８でリーチ演出の種類を決定することとから，
主制御手段３８が決定した種類に対応する演出内容のリーチ演出を行わせる図柄制御手段２６
（カ）上記（イ）の記載のリーチ演出が図柄表示部２４で行われることと，上記（ウ）の記載の図柄表示部２４が回転することとから，
リーチ演出が行われ回転駆動する図柄表示部２４
（キ）上記（ア）の記載の図柄表示装置２２における表示や回転等の制御を行なう図柄制御手段２６と，上記（ウ）の図柄制御手段２６により駆動手段２８が駆動され，図柄表示装置２２の図柄表示部２４が回転を開始することとから，
図柄表示部２４の回転の制御を行う図柄制御手段２６
（ク）上記（ア）の記載の図柄表示装置２２における表示や回転等の制御を行なう図柄制御手段２６と，前記始動入賞具１６へのパチンコ球の通入に応じて図柄表示部２４に表示される図柄を変動および停止表示することで，図柄変動演出を行なうことと，上記（ウ）の記載の主制御手段３８で乱数値に基づき決定された当り，外れに対応する制御コマンドが，統括制御手段４０を経て図柄制御手段２６に送られることとから，
図柄制御手段２６は，乱数値に基づいて，図柄表示装置２２の図柄表示部２４において図柄を変動および停止表示させて図柄変動演出の表示を制御する
（ケ）上記（イ）の記載の各リーチ演出に対応するリーチ後に大当りすることと，上記（ウ）記載のＤリーチ演出を行なうことが決定された場合は，図柄表示部２４の指示辺２４ｄが最下部の役物３２ｄを指し示し，その回転停止のタイミングで，該図柄表示部２４ではＤリーチ演出が行なわれ，指示辺２４ｄが役物３２ｃ,３２ｂ,３２ａの何れかを指し示した場合には，対応するＣ〜Ａの何れかのリーチ演出が図柄表示部２４で行なわれることとから，
大当りの前のリーチ演出において，図柄表示部２４の回転停止のタイミングから，Ａリーチ演出またはＡとは異なるＢリーチ演出が行われ
（コ）上記（ウ）の記載では，Ｄリーチ演出を行なうことが決定された場合は，図柄表示部２４の指示辺２４ｄが最下部の役物３２ｄを指し示し，その回転停止のタイミングで，該図柄表示部２４ではＤリーチ演出が行なわれ，指示辺２４ｄが役物３２ｃ,３２ｂ,３２ａの何れかを指し示した場合には，対応するＣ〜Ａの何れかのリーチ演出が図柄表示部２４で行なわれることから，
Ａリーチ演出を行うことが決定された場合は，図柄表示部２４の指示辺２４ｄが役物３２ａを指し示し，その回転停止のタイミングで，該図柄表示部２４ではＡリーチ演出が行なわれ，Ｂリーチ演出を行うことが決定された場合は，図柄表示部２４の指示辺２４ｄが役物３２ｂを指し示し，その回転停止のタイミングで，該図柄表示部２４ではＢリーチ演出が行なわれる
　したがって，上記（ア）から（ウ）の記載事項及び上記（エ）から（コ）の認定事項を総合すると，刊行物には次の発明（以下，「引用発明」という。）が記載されている。
「パチンコ球の始動入賞具１６の入賞をスイッチが検出すると，乱数値を取得し，前記乱数値に基づいて大当り及びリーチ演出の種類を決定する主制御手段３８と，
　前記主制御手段３８が決定した前記種類に対応する演出内容のリーチ演出を行わせる図柄制御手段２６と，
　前記リーチ演出が行われ回転駆動する図柄表示部２４と，
　前記図柄表示部２４の回転の制御を行う前記図柄制御手段２６と，
　前記図柄制御手段２６は，
　　前記乱数値に基づいて，図柄表示装置２２の前記図柄表示部２４において図柄を変動および停止表示させて図柄変動演出の表示を制御し，
　大当りの前のリーチ演出において，前記図柄表示部２４の回転停止のタイミングから，Ａリーチ演出またはＡとは異なるＢリーチ演出が行われ，
　　前記Ａリーチ演出を行うことが決定された場合は，前記図柄表示部２４の指示辺２４ｄが役物３２ａを指し示し，その回転停止のタイミングで，前記図柄表示部２４ではＡリーチ演出が行なわれ，
　前記Ｂリーチ演出を行うことが決定された場合は，前記図柄表示部２４の指示辺２４ｄが役物３２ｂを指し示し，その回転停止のタイミングで，前記図柄表示部２４ではＢリーチ演出が行なわれる，遊技機。」
２．対比
　本願発明と引用発明とを対比する。
（ａ）引用発明の「パチンコ球の始動入賞具１６の入賞をスイッチが検出する」こと，取得する「乱数値」及び「大当り」は，それぞれ，本願発明の「所定の始動条件の成立」，「取得情報」及び「特別遊技」に相当する。
　このことから，引用発明の「パチンコ球の始動入賞具１６の入賞をスイッチが検出すると，乱数値を取得し，前記乱数値に基づいて大当り」「を決定する主制御手段３８」は，乱数値を取得する手段を有しているといえるから，本願発明の「所定の始動条件の成立を条件として，取得情報を取得する取得手段と，前記取得情報に基づいて，特別遊技を行うか否かの特別遊技判定を行う判定手段」に相当する。
（ｂ）引用発明の「前記乱数値に基づいて」「リーチ演出の種類を決定する」ことは，本願発明の「前記取得情報に基づいて演出の内容を決定」することに相当する。
（ｃ）引用発明の「リーチ演出を行わせる図柄制御手段２６」は，本願発明の「演出の実行を制御する演出制御手段」に相当する。
（ｄ）引用発明の「前記リーチ演出が行われ回転駆動する図柄表示部２４」は，本願発明の「演出画像を表示する少なくとも１つの可動画面」に相当する。
（ｅ）引用発明の「前記図柄表示部２４の回転の制御を行う前記図柄制御手段２６」は，本願発明の「前記可動画面の動作を制御する可動画面動作制御手段」に相当する。
（ｆ）引用発明の「前記乱数値に基づいて」「図柄を変動および停止表示させて図柄変動演出の表示」は，本願発明の「前記取得情報に基づいて」「演出図柄を変動表示させてから停止表示させることにより，前記特別遊技判定の結果を報知」に相当する。
（ｇ）引用発明の「大当りの前のリーチ演出」，「前記図柄表示部２４の回転停止のタイミング」，「Ａリーチ演出」及び「Ｂリーチ演出」は，それぞれ，本願発明の「前記特別遊技判定における一回の判定結果を報知する演出」，「所定のタイミング」及び「第１の特定演出」及び「第２の特定演出」に相当する。
　このことから，引用発明の「大当りの前のリーチ演出において，前記図柄表示部２４の回転停止のタイミングから，Ａリーチ演出またはＡとは異なるＢリーチ演出」を行うことは，本願発明の「前記特別遊技判定における一回の判定結果を報知する演出の途中となる所定のタイミングから，第１の特定演出または当該第１の特定演出とは異なる第２の特定演出を実行する」ことに相当する。
（ｈ）引用発明の「Ａリーチ演出」及び「回転停止のタイミング」は，それぞれ，本願発明の「第１の特定演出」及び「所定のタイミング」に相当する。
　このことから，引用発明の「Ａリーチ演出を行うことが決定された場合は，図柄表示部２４の指示辺２４ｄが役物３２ａを指し示し，その回転停止のタイミングで，該図柄表示部２４ではＡリーチ演出が行なわれ」ることは，本願発明の「前記特定演出制御手段が前記第１の特定演出を行う場合に前記所定のタイミングまたは前記所定のタイミングが到来する前記判定結果を報知する演出を開始してから当該所定のタイミングの前までの期間において第１の動作態様で前記可動画面を制御」することに相当する。
（ｉ）引用発明の「Ｂリーチ演出」及び「回転停止のタイミング」は，それぞれ，本願発明の「第２の特定演出」及び「所定のタイミング」に相当する。
　このことから，引用発明の「Ｂリーチ演出を行うことが決定された場合は，図柄表示部２４の指示辺２４ｄが役物３２ｂを指し示し，その回転停止のタイミングで，該図柄表示部２４ではＢリーチ演出が行なわれ」ることは，本願発明の「前記特定演出制御手段が前記第２の特定演出を行う場合に前記所定のタイミングまたは前記所定のタイミングが到来する前記判定結果を報知する演出を開始してから当該所定のタイミングの前までの期間において前記第１の動作態様とは異なる第２の動作態様で前記可動画面を制御する」ことに相当する。
　上記（ａ）から（ｉ）により，本願発明と引用発明とは，
［一致点］
「所定の始動条件の成立を条件として，取得情報を取得する取得手段と，
　前記取得情報に基づいて，特別遊技を行うか否かの特別遊技判定を行う判定手段と，
　前記取得情報に基づいて演出の内容を決定し，演出の実行を制御する演出制御手段と，
　演出画像を表示する少なくとも１つの可動画面と，
　前記可動画面の動作を制御する可動画面動作制御手段とを備え，
　前記演出制御手段は，
　　前記取得情報に基づいて，演出図柄を変動表示させてから停止表示させることにより，前記特別遊技判定の結果を報知し，
　　前記特別遊技判定における一回の判定結果を報知する演出の途中となる所定のタイミングから，第１の特定演出または当該第１の特定演出とは異なる第２の特定演出を実行する特定演出制御手段とを含み，
　前記可動画面動作制御手段は，
　　前記特定演出制御手段が前記第１の特定演出を行う場合に前記所定のタイミングまたは前記所定のタイミングが到来する前記判定結果を報知する演出を開始してから当該所定のタイミングの前までの期間において第１の動作態様で前記可動画面を制御し，
　　前記特定演出制御手段が前記第２の特定演出を行う場合に前記所定のタイミングまたは前記所定のタイミングが到来する前記判定結果を報知する演出を開始してから当該所定のタイミングの前までの期間において前記第１の動作態様とは異なる第２の動作態様で前記可動画面を制御する，遊技機。」
　である点で一致し，以下の点で相違する。
［相違点１］
　「前記取得情報に基づいて演出の内容を決定」する手段が，本願発明では「演出制御手段」（本願明細書の段落【００９３】及び【００９４】参照）であるのに対して，引用発明では「主制御手段３８」である点。
［相違点２］
　本願発明では，「可動画面」と「演出図柄表示手段」とが独立した構成であり，「演出図柄制御手段」は「演出図柄表示手段において演出図柄を変動表示」させるが，引用発明では，「図柄制御手段２６」は「図柄表示装置２２の前記図柄表示部２４において図柄を変動」表示させる点。
３．判断
　上記相違点について検討する。
［相違点１について］
　本願出願前の遊技機の分野において，遊技制御基板から送信された情報に基づいて表示制御基板において演出内容を決定する構成は周知技術（例えば，特開２０００−３４２７７９号公報の段落【０１２２】には，表示制御基板４０は，遊技制御基板３１で設定された変動パターンに応じた演出態様を決定することが記載されている。特開２００６−２６３２８号公報の段落【００２５】には，表示制御装置２００（１）は，主制御装置１００（１）からの情報に基づき，演出内容を決定することが記載されている。以下，「周知技術１」という。）である。
　そして，引用発明の主制御手段３８に代えて，当該周知技術１を適用し，図柄制御手段２６に演出内容を決定させ，上記相違点１に係る本願発明の構成とすることは，当業者が容易になし得たことである。
［相違点２について］
　本願出願前の遊技機の分野において，図柄変動を表示するメイン表示装置と，演出画像を表示する可動可能なサブ表示装置との両方を備える構成は周知技術（例えば，特開２００５−３１２５１５号公報の段落【００５１】には，主表示装置６４１には特別図柄Ｄ１，Ｄ２，Ｄ３が変動表示され，キャラクタＣ６を表示させた副表示装置６５１は主表示装置６４１の上縁に沿って横方向に移動されることが記載されている。特開２０１２−８５７９８号公報の段落【００３５】，【００４７】及び【００５３】には，メイン表示器５のメイン表示画面５０には特別図柄抽選の結果を報知するための装飾図柄が表示され，メイン表示器５に対して上下左右に移動可能なサブ表示器６のサブ画面６０には演出のための各種画像が表示されることが記載されている。以下，「周知技術２」という。）である。
　そして，引用発明の図柄表示装置２２に代えて，当該周知技術２を適用し，回転駆動する図柄表示部２４の他に図柄変動を表示する表示部を有した，上記相違点２に係る本願発明の構成とすることは，当業者が容易になし得たことである。
　そして，本願発明の作用効果は，引用発明及び周知技術１，２からみて格別なものではない。
　よって，本願発明は，引用発明及び周知技術１，２に基づいて，当業者が容易に発明をすることができたものであるので，特許法第２９条第２項の規定により特許を受けることができない。
４．むすび
　以上のとおり，本願発明は，特許法第２９条第２項の規定に基づいて特許を受けることができないものである。
　したがって，本願は拒絶すべきである。
　よって，結論のとおり審決する。